(57)【要約】【課題】用紙コーナー保護カッター台の組立て及び分解にかかる時間を大幅に減らして経済性を高める、用紙コーナー保護カッター台を提供する。【解決手段】用紙コーナー保護カッター台は、ベース１０、枠体２０、ハンドル３０、カッターホルダー４０、少なくとも１つのカッター刃４８、２つのストッパ板５０、少なくとも１つの受板７０及び２つの蓋板８０を備える。枠体２０は、ベース１０に配設されるとともに、間隔をおいて設けられた第１の立枠２１及び第２の立枠２２を有する。第２の立枠２２には、操縦杆２３が枢着される。操縦杆２３には、駆動軸２３１が枢着される。ハンドル３０は、第１の立枠２１に枢着される。ハンドル３０には、連杆３１が枢着される。連杆３１は、操縦杆２３に枢着される。カッターホルダー４０は、第１の立枠２１と第２の立枠２２との間に配設される。【選択図】図２
0003203953.tif 000002
【実用新案登録請求の範囲】
【請求項１】
ベース、枠体、ハンドル、カッターホルダー、少なくとも１つのカッター刃、２つのストッパ板、少なくとも１つの受板及び２つの蓋板を備えた用紙コーナー保護カッター台であって、
前記枠体は、前記ベースに配設されるとともに、間隔をおいて設けられた第１の立枠及び第２の立枠を有し、前記第２の立枠には、操縦杆が枢着され、前記操縦杆には、駆動軸が枢着され、
前記ハンドルは、前記第１の立枠に枢着され、前記ハンドルには、連杆が枢着され、前記連杆は、前記操縦杆に枢着され、
前記カッターホルダーは、前記第１の立枠と前記第２の立枠との間に配設されるとともに、第１の基板及び第２の基板を含み、前記第１の基板及び前記第２の基板の頂端には、開口部がそれぞれ形成され、前記開口部内には、駆動ブロックが配設され、前記駆動ブロックには、穿孔が形成され、前記駆動軸は、前記駆動ブロックの穿孔に嵌挿され、前記カッターホルダーが前記開口部を介して前記駆動軸に嵌合され、前記操縦杆が前記駆動軸を介して前記駆動ブロックに枢着され、前記第１の基板及び前記第２の基板の底端には、第１の逆Ｖ字状凹溝及び第２の逆Ｖ字状凹溝がそれぞれ形成され、前記第１の逆Ｖ字状凹溝は、前記第２の逆Ｖ字状凹溝より大きく、前記第１の基板が前記第２の基板に積層されて逆Ｖ字状間隙が形成され、前記カッターホルダーの前記逆Ｖ字状間隙に逆Ｖ字状板が配設されると、前記逆Ｖ字状板と前記第２の基板との間に刃挟持間隙が形成され、
前記カッター刃は、前記刃挟持間隙に嵌挿され、
前記ストッパ板は、前記立枠の両側にそれぞれ配設され、前記ストッパ板間には、前記カッターホルダーが配設され、
前記ストッパ板は、前記カッター刃に対応するように形成された第１の逆Ｖ字状開口部をそれぞれ有し、
前記受板は、前記ストッパ板に固設され、
前記蓋板は、前記ストッパ板に対応するように前記ベースの両側にそれぞれ立設されるとともに、前記ストッパ板の前記第１の逆Ｖ字状開口部に対応するように形成された第２の逆Ｖ字状開口部を有することを特徴とする用紙コーナー保護カッター台。
【請求項２】
前記第２の基板の前記第２の逆Ｖ字状凹溝の周縁には、複数の第１の締結孔が形成され、前記逆Ｖ字状板には、前記第１の締結孔に対応するように第３の締結孔が形成され、前記第１の締結孔及び前記第３の締結孔には、第１の螺着部材が挿設され、
前記第２の基板の前記第２の逆Ｖ字状凹溝の周縁には、複数の第２の締結孔と、複数の鋼球収容室とが形成され、前記第２の締結孔は、前記鋼球収容室に隣り合い、
前記第２の締結孔には、押付け部材がそれぞれ螺着され、前記押付け部材は、第２の螺着部材を含み、前記第２の螺着部材には、ディスク状弾片が嵌合され、前記ディスク状弾片は、前記鋼球収容室に設けられた鋼球を付勢力で押動し、前記鋼球が前記ディスク状弾片により押動されて前記カッター刃に当止されることを特徴とする請求項１に記載の用紙コーナー保護カッター台。
【請求項３】
前記カッターホルダーは、縦方向に設けられたガイドレールを複数有し、
前記ガイドレールは、前記ストッパ板に接触され、
前記ストッパ板の前記第１の逆Ｖ字状開口部の周縁には、スケールを嵌挿する第１の挿入孔が形成され、
前記ハンドルには、ハンドル部が接続され、
前記ハンドル部は、上方へ折り曲げられて横方向へ略Ｊ字状に成形された折り曲げ部を有することを特徴とする請求項１に記載の用紙コーナー保護カッター台。
【請求項４】
前記第１の基板及び前記第２の基板には、第１の位置決め孔及び第２の位置決め孔がそれぞれ形成され、
前記第１の位置決め孔から前記ベースまでの距離は第１の距離であり、
前記第２の位置決め孔から前記ベースまでの距離は第２の距離であり、
前記第１の距離は、前記第２の距離より大きく、
前記ストッパ板には、前記カッターホルダーの前記位置決め孔に対応した第１の穿孔及び第２の穿孔が形成され、
前記第１の穿孔及び前記第２の穿孔から前記ベースまでの距離は、第１の距離であり、
前記基板には、前記第１の穿孔に対応した第１の固定孔と、前記第２の穿孔に対応した第２の固定孔とがそれぞれ形成され、
前記第１の固定孔及び前記第２の固定孔は瓢箪孔であり、前記基板は、前記ベースに対向するように形成された凹溝を有することを特徴とする請求項１に記載の用紙コーナー保護カッター台。
【請求項５】
前記開口部及び前記駆動ブロックは、略矩形状であり、
前記開口部は、第１の幅を有し、
前記駆動ブロックは、第２の幅を有し、
前記第１の幅は、前記第２の幅より大きく、
前記開口部底側の中央部には、凸縁が突設され、
前記駆動ブロックは、前記開口部の底側と前記凸縁とに当止されることを特徴とする請求項１に記載の用紙コーナー保護カッター台。
【考案の詳細な説明】
【技術分野】
【０００１】
本考案は、包装材の切断加工装置に関し、特に用紙コーナー保護カッター台に関する。
【背景技術】
【０００２】
従来の用紙コーナー保護カッター台は、ベースを含む。ベース上には、２つの円杆が立設されている。２つの円杆間には、カッターホルダーが配設され、カッターホルダーには、カッター刃が挿設される。カッターホルダー上には、円杆間でカッターホルダーを摺動させる操縦杆が枢着され、カッター刃で切断する。
【０００３】
用紙コーナー保護カッター台は、円杆間でカッターホルダーを円滑に摺動させることができるように、高い精度が要求される。しかし用紙コーナー保護カッター台を取り付けるかカッター刃を交換する際、円杆間でカッターホルダーを円滑に摺動させることができるように、何度も修正して位置決めしなければならず、従来の用紙コーナー保護カッター台は、カッター刃を着脱するのに手間と時間がかかり、コストが多くかかった。そのため、上述したような従来技術の問題点を改善する技術が求められていた。
【考案の概要】
【考案が解決しようとする課題】
【０００４】
本考案の主な目的は、枠体、カッターホルダー、ストッパ板などの板形状構造により、用紙コーナー保護カッター台を容易に組立てて位置決めし、用紙コーナー保護カッター台の組立て及び分解にかかる時間が少なくて経済性が高い、用紙コーナー保護カッター台を提供することにある。
【課題を解決するための手段】
【０００５】
上記課題を解決するために、本考案の第１の形態によれば、ベース、枠体、ハンドル、カッターホルダー、少なくとも１つのカッター刃、２つのストッパ板、少なくとも１つの受板及び２つの蓋板を備えた用紙コーナー保護カッター台であって、前記枠体は、前記ベースに配設されるとともに、間隔をおいて設けられた第１の立枠及び第２の立枠を有し、前記第２の立枠には、操縦杆が枢着され、前記操縦杆には、駆動軸が枢着され、前記ハンドルは、前記第１の立枠に枢着され、前記ハンドルには、連杆が枢着され、前記連杆は、前記操縦杆に枢着され、前記カッターホルダーは、前記第１の立枠と前記第２の立枠との間に配設されるとともに、第１の基板及び第２の基板を含み、前記第１の基板及び前記第２の基板の頂端には、開口部がそれぞれ形成され、前記開口部内には、駆動ブロックが配設され、前記駆動ブロックには、穿孔が形成され、前記駆動軸は、前記駆動ブロックの穿孔に嵌挿され、前記カッターホルダーが前記開口部を介して前記駆動軸に嵌合され、前記操縦杆が前記駆動軸を介して前記駆動ブロックに枢着され、前記第１の基板及び前記第２の基板の底端には、第１の逆Ｖ字状凹溝及び第２の逆Ｖ字状凹溝がそれぞれ形成され、前記第１の逆Ｖ字状凹溝は、前記第２の逆Ｖ字状凹溝より大きく、前記第１の基板が前記第２の基板に積層されて逆Ｖ字状間隙が形成され、前記カッターホルダーの前記逆Ｖ字状間隙に逆Ｖ字状板が配設されると、前記逆Ｖ字状板と前記第２の基板との間に刃挟持間隙が形成され、前記カッター刃は、前記刃挟持間隙に嵌挿され、前記ストッパ板は、前記立枠の両側にそれぞれ配設され、前記ストッパ板間には、前記カッターホルダーが配設され、前記ストッパ板は、前記カッター刃に対応するように形成された第１の逆Ｖ字状開口部をそれぞれ有し、前記受板は、前記ストッパ板に固設され、前記蓋板は、前記ストッパ板に対応するように前記ベースの両側にそれぞれ立設されるとともに、前記ストッパ板の前記第１の逆Ｖ字状開口部に対応するように形成された第２の逆Ｖ字状開口部を有することを特徴とする用紙コーナー保護カッター台が提供される。
【考案の効果】
【０００６】
本考案の用紙コーナー保護カッター台は、枠体、カッターホルダー、ストッパ板などの板形状構造により、用紙コーナー保護カッター台を容易に組立てて位置決めし、用紙コーナー保護カッター台の組み立てと、用紙コーナー保護カッター台の分解とにかかる時間が少なく、経済性が高い。
【図面の簡単な説明】
【０００７】
【図１】本考案の一実施形態に係る用紙コーナー保護カッター台を示す斜視図である。
【図２】本考案の一実施形態に係る用紙コーナー保護カッター台を示す分解斜視図である。
【図３】本考案の一実施形態に係る用紙コーナー保護カッター台のカッターホルダーを示す分解斜視図である。
【図４】本考案の一実施形態に係る用紙コーナー保護カッター台を示す断面図である。
【図５】本考案の一実施形態に係る用紙コーナー保護カッター台を示す部分拡大図である。
【図６】本考案の一実施形態に係る固定ピンを抜き取ったときの状態を示す説明図である。
【図７】本考案の一実施形態に係る用紙コーナー保護カッター台のカッターホルダーを持ち上げたときの状態を示す説明図である。
【図８】本考案の一実施形態に係る用紙コーナーを投入したときの状態を示す説明図である。
【図９】本考案の一実施形態に係る用紙コーナーを切断するときの状態を示す説明図である。
【図１０】本考案の一実施形態に係るハンドルを握持するときの状態を示す説明図である。
【図１１】本考案の一実施形態に係るハンドルを握持するときの状態を示すもう一つの説明図である。
【図１２】本考案の固定ピンを挿入してカッターホルダーを固定するときの状態を示す説明図である。
【図１３】本考案の固定ピンを挿入してハンドルを固定するときの状態を示す説明図である。
【考案を実施するための形態】
【０００８】
図１〜図４を参照する。図１は、本考案の一実施形態に係る用紙コーナー保護カッター台を示す斜視図である。図２は、本考案の一実施形態に係る用紙コーナー保護カッター台を示す分解斜視図である。図３は、本考案の一実施形態に係る用紙コーナー保護カッター台のカッターホルダーを示す分解斜視図である。図４は、本考案の一実施形態に係る用紙コーナー保護カッター台を示す断面図である。図１〜図４に示すように、本考案の一実施形態に係る用紙コーナー保護カッター台は、少なくともベース１０、枠体２０、ハンドル３０、カッターホルダー４０、少なくとも１つのカッター刃４８、２つのストッパ板５０、少なくとも１つの受板７０及び２つの蓋板８０から構成されてなる。
【０００９】
ベース１０は、長軸ａ及び短軸ｂを有する長形ベースボディである。ベース１０には、固定ピン９０を嵌挿するワーク挿入孔１１が短軸ｂに沿って形成されている。
【００１０】
枠体２０は、ベース１０に立設されるとともに、長軸ａに沿って間隔をおいて設けられた第１の立枠２１及び第２の立枠２２を有する。第２の立枠２２には、操縦杆２３が枢着されている。操縦杆２３は、第１の立枠２１に向かって延びた自由端が成形されている。操縦杆２３には、短軸ｂに沿う方向で駆動軸２３１が枢着されている。
【００１１】
ハンドル３０は、第１の立枠２１が枢着された枢着棒３０１を有する。ハンドル３０の枢着棒３０１に隣り合う箇所には、連杆３１が枢着されている。連杆３１の他端には、操縦杆２３の自由端が枢着されている。ハンドル３０には、固定ピン３３を介してハンドル部３２が接続される。ハンドル部３２は、上方へ折り曲げられて横方向へ略Ｊ字状に成形された折り曲げ部３２１を有する。
【００１２】
カッターホルダー４０は、第１の立枠２１と第２の立枠２２との間に配設される。カッターホルダー４０は、第１の基板４０１及び第２の基板４０２を含む。第１の基板４０１及び第２の基板４０２の頂端には、開口部４１がそれぞれ形成される。第１の基板４０１及び第２の基板４０２の開口部４１の底側中央部には、凸縁４１１が突設される。開口部４１内には、駆動ブロック４９が配設される。開口部４１及び駆動ブロック４９は、略矩形状である。駆動ブロック４９には、穿孔４９１が形成される。駆動軸２３１は、駆動ブロック４９の穿孔４９１に嵌挿され、カッターホルダー４０が開口部４１を介して駆動軸２３１に嵌合され、操縦杆２３が駆動軸２３１を介して駆動ブロック４９に枢着される。開口部４１は、長軸ａに沿った第１の幅ｗ１を有する。駆動ブロック４９は、長軸ａに沿った第２の幅ｗ２を有する。第１の幅ｗ１は、第２の幅ｗ２より大きい。駆動ブロック４９は、開口部４１の底側及び凸縁４１１に当止され、駆動ブロック４９が開口部４１中で長軸ａに沿う方向で摺動する。本実施形態の第１の基板４０１及び第２の基板４０２の底端には、第１の逆Ｖ字状凹溝４２１及び第２の逆Ｖ字状凹溝４２２がそれぞれ形成される。第１の逆Ｖ字状凹溝４２１は、第２の逆Ｖ字状凹溝４２２より大きく、第１の基板４０１が第２の基板４０２に積層されて逆Ｖ字状間隙４２３が形成される。カッターホルダー４０の逆Ｖ字状間隙４２３に逆Ｖ字状板４０３が配設されると、逆Ｖ字状板４０３と第２の基板４０２との間に刃挟持間隙４３が形成される。図５に示すように、第２の基板４０２の第２の逆Ｖ字状凹溝４２２の周縁には、複数の第１の締結孔４４１と、複数の第２の締結孔４５１と、複数の鋼球収容室４５３とが形成されている。第２の締結孔４５１は、複数の鋼球収容室４５３に隣り合う。逆Ｖ字状板４０３は、第１の締結孔４４１に対応するように形成された第３の締結孔４０３１を有する。第１の締結孔４４１及び第３の締結孔４０３１には、第１の螺着部材４４２が挿設され、第２の基板４０２と逆Ｖ字状板４０３とが螺着される。第２の締結孔４５１には、押付け部材４５２がそれぞれ螺着される。本実施形態の押付け部材４５２は、第２の螺着部材４５２１を含む。第２の螺着部材４５２１には、ディスク状弾片４５２２が嵌合され、第２の螺着部材４５２１が螺動する過程で、ディスク状弾片４５２２は、鋼球収容室４５３に設けられた鋼球４５２３を付勢力で押動する。鋼球４５２３は、刃挟持間隙４３に向かうプレストレスを有する。第１の基板４０１及び第２の基板４０２の外側には、縦方向のガイドレール４６が複数設けられる。第１の基板４０１及び第２の基板４０２には、第１の位置決め孔４７１及び第２の位置決め孔４７２がそれぞれ形成される。図７に示すように、第１の位置決め孔４７１からベース１０までの距離は第１の距離ｄ１であり、第２の位置決め孔４７２からベース１０までの距離は第２の距離ｄ２である。第１の距離ｄ１は、第２の距離ｄ２より大きい。
【００１３】
少なくとも１つのカッター刃４８は、刃挟持間隙４３に嵌挿され、複数の押付け部材４５２の鋼球４５２３と逆Ｖ字状板４０３とにより挟まれる。本実施形態では、逆Ｖ字状板４０３の両辺に沿って嵌挿された２つのカッター刃４８を有する。カッター刃４８は、一般によく見かけるカッターでもよい。
【００１４】
２つのストッパ板５０は、枠体２０の両側にそれぞれ配設され、カッターホルダー４０をストッパ板５０間に設置し、ガイドレール４６をストッパ板５０に接触させ、カッターホルダー４０をストッパ板５０間で摺動させる。ストッパ板５０は、カッターホルダー４０の逆Ｖ字状板４０３に対応する。カッター刃４８は、第１の逆Ｖ字状開口部５１に対応し、カッターホルダー４０の逆Ｖ字状板４０３とカッター刃４８とが第１の逆Ｖ字状開口部５１から露出される。ストッパ板５０の第１の逆Ｖ字状開口部５１の周縁には、スケール６０を嵌挿する第１の挿入孔５２が形成される。ストッパ板５０には、カッターホルダー４０の第１の位置決め孔４７１及び第２の位置決め孔４７２に対応した第１の穿孔５３１及び第２の穿孔５３２が形成される。第１の穿孔５３１及び第２の穿孔５３２からベース１０までの距離は、第１の距離ｄ１である。
【００１５】
少なくとも１つの受板７０は、ストッパ板５０の第１の逆Ｖ字状開口部５１の底側に固設される。図７に示すように、受板７０とカッター刃４８とは間隔をおいて配設され、カッターホルダー４０を持ち上げると間隙ｇが形成される。
【００１６】
２つの蓋板８０は、ストッパ板５０に対応するようにベース１０の両側にそれぞれ立設され、ストッパ板５０により蓋板８０が螺着される。蓋板８０は、ストッパ板５０の第１の逆Ｖ字状開口部５１に対応するように形成された第２の逆Ｖ字状開口部８１を有し、第１の挿入孔５２に対応するようにスケール６０を嵌挿する第２の挿入孔８２に形成される。蓋板８０は、ストッパ板５０の第１の穿孔５３１及び第２の穿孔５３２に対応するように形成された第１の固定孔８３１及び第２の固定孔８３２を有し、固定ピン９０は、第１の固定孔８３１及び第１の穿孔５３１に順次挿通されて第１の位置決め孔４７１に嵌挿されるか、固定ピン９０が第２の固定孔８３２及び第２の穿孔５３２に順次挿通されて第２の位置決め孔４７２に嵌挿される。第１の固定孔８３１及び第２の固定孔８３２は瓢箪孔である。ストッパ板５０は、第１の固定孔８３１及び第２の固定孔８３２の頂端を介して蓋板８０に螺着される。第１の固定孔８３１及び第２の固定孔８３２の底端は、第１の穿孔５３１及び第２の穿孔５３２から露出される。蓋板８０は、ベース１０に対向するように形成された凹溝８４を有する。ベース１０は、第１の穿孔５３１、第２の穿孔５３２及び凹溝８４を介して蓋板８０に螺着される。
【００１７】
図６〜図９を参照する。図６〜図９と併せて図１３、図１及び図２に示すように、まず、固定ピン９０を抜き取ってワーク挿入孔１１に挿入し、ユーザはハンドル３０を用いて用紙コーナー保護カッター台を操作することができる。ユーザは、ハンドル３０を利用して連杆３１を持ち上げると操縦杆２３が持ち上がる。操縦杆２３は、駆動軸２３１を介して駆動ブロック４９を駆動し、カッターホルダー４０及びカッター刃４８を縦方向で持ち上げることができる。カッターホルダー４０のカッター刃４８と受板７０との間の間隙ｇが、第１の逆Ｖ字状開口部５１及び第２の逆Ｖ字状開口部８１から露出されると、ユーザは、第２の逆Ｖ字状開口部８１に用紙コーナーが挿入され、スケール６０を利用して用紙コーナーの切断長さを設定することができる。最終的に、ユーザがハンドル３０を押下すると、操縦杆２３及びカッターホルダー４０が押下され、カッター刃４８により用紙コーナーを切断加工し、用紙コーナーを各種製品に必要なサイズに形成し、製品の包装に利用することができる。
【００１８】
図３を参照する。図３に示すように、駆動ブロック４９は、穿孔４９１を介して操縦杆２３の駆動軸２３１に枢着され、開口部４１の第１の幅ｗ１は、駆動ブロック４９の第２の幅ｗ２より大きく、駆動ブロック４９が開口部４１の底側と凸縁４１１とに当止される技術的特徴により駆動ブロック４９が偏心するように開口部４１で摺動され、ハンドル３０を縦方向で持ち上げるかカッターホルダー４０を押下することにより、用紙コーナーを切断する速度及び精度を維持することができる。
【００１９】
第１の基板４０１及び第２の基板４０２の外側には、複数のガイドレール４６が縦方向で形成され、複数のガイドレール４６によりストッパ板５０が内方へ向けて第１の基板４０１及び第２の基板４０２に当止され、用紙コーナー保護カッター台の構造強度を高めるとともに、カッターホルダー４０を持ち上げるか押下すると、ストッパ板５０と、第１の基板４０１及び第２の基板４０２との間の摩擦面積が減り、用紙コーナー保護カッター台の使用性を高めることができる。
【００２０】
図６及び図１３を参照する。図６及び図１３に示すように、本考案の一実施形態に係る用紙コーナー保護カッター台は、ハンドル３０を押下すると、第１の位置決め孔４７１、第１の穿孔５３１及び第１の固定孔８３１が同心で設置され、固定ピン９０を挿入するとカッターホルダー４０が固定されるため、本考案はハンドル３０を利用して携帯したり搬送したりすることが容易である。
【００２１】
図５及び図１２を参照する。図５及び図１２と併せて図２に示すように、ユーザがカッター刃４８を交換する場合、蓋板８０を持ち上げるだけで、挿入孔８３及び凹溝８４を介してベース１０及びストッパ板５０を外し、蓋板８０を取り外してハンドル３０を持ち上げて第２の位置決め孔４７２、第２の穿孔５３２及び第２の固定孔８３２が同心となるように設置され、固定ピン９０を挿入すると、カッターホルダー４０が位置決めされて間隙が露出されるが、このときに第２の螺着部材４５２１を緩めると、ディスク状弾片４５２２が緩み、鋼球４５２３のカッター刃４８に向かうプレストレスを減らすことができる。このときにカッター刃４８は、第１の螺着部材４４２及び押付け部材４５２を介して付勢力により刃挟持間隙４３に位置決めされ、ユーザは、カッター刃４８を容易に抜き出してから新しいカッター刃４８を嵌挿し、付勢力により刃挟持間隙４３に位置決めされ、ユーザがカッター刃４８の位置を調整した後、第２の螺着部材４５２１を螺着してディスク状弾片４５２２を押し付け、鋼球４５２３を押動してカッター刃４８に押止してカッター刃４８を固定することにより、カッター刃４８を速やかに交換することができる。
【００２２】
図１０及び図１１を参照する。図１０及び図１１に示すように、ハンドル３０の末端には、略横方向のＪ字状に成形されたハンドル部３２が設けられているため、ユーザはハンドル部３２を握持して操作することを容易かつ円滑に行うことができる。ユーザは、固定ピン３３を抜き取ってハンドル部を外すと、用紙コーナー保護カッター台の体積を小さくすることができるため、搬送が容易である。
【符号の説明】
【００２３】
１０  ベース
１１  ワーク挿入孔
２０  枠体
２１  第１の立枠
２２  第２の立枠
２３  操縦杆
３０  ハンドル
３１  連杆
３２  ハンドル部
３３  固定ピン
４０  カッターホルダー
４１  開口部
４２  逆Ｖ字状凹部
４３  刃挟持間隙
４６  ガイドレール
４８  カッター刃
４９  駆動ブロック
５０  ストッパ板
５１  第１の逆Ｖ字状開口部
５２  第１の挿入孔
６０  スケール
７０  受板
８０  蓋板
８１  第２の逆Ｖ字状開口部
８２  第２の挿入孔
８３  挿入孔
８４  凹溝
９０  固定ピン
２３１  駆動軸
３０１  枢着棒
３２１  折り曲げ部
４０１  第１の基板
４０２  第２の基板
４０３  逆Ｖ字状板
４１１  凸縁
４２１  第１の逆Ｖ字状凹溝
４２２  第２の逆Ｖ字状凹溝
４２３  逆Ｖ字状間隙
４４１  第１の締結孔
４４２  第１の螺着部材
４５１  第２の締結孔
４５２  押付け部材
４５３  鋼球収容室
４７１  第１の位置決め孔
４７２  第２の位置決め孔
４９１  穿孔
５３１  第１の穿孔
５３２  第２の穿孔
８３１  第１の固定孔
８３２  第２の固定孔
４０３１  第３の締結孔
４５２１  第２の螺着部材
４５２２  ディスク状弾片
４５２３  鋼球
ａ  長軸
ｂ  短軸
ｄ１  第１の距離
ｄ２  第２の距離
ｇ  間隙
ｗ１  第１の幅
ｗ２  第２の幅
【図１】
0003203953.tif 000003
【図２】
0003203953.tif 000004
【図３】
0003203953.tif 000005
【図４】
0003203953.tif 000006
【図５】
0003203953.tif 000007
【図６】
0003203953.tif 000008
【図７】
0003203953.tif 000009
【図８】
0003203953.tif 000010
【図９】
0003203953.tif 000011
【図１０】
0003203953.tif 000012
【図１１】
0003203953.tif 000013
【図１２】
0003203953.tif 000014
【図１３】
0003203953.tif 000015